(57)【要約】【課題】搬送される角度が変化する被印刷媒体からの除電を安定的に行う。【解決手段】除電装置５０は、ステー５１、用紙追従用コロ５２、除電部材５３、バネ５４とから構成されている。除電装置５０は、被印刷媒体２２の巻き取り角度に追従して排出ローラ４１の軸４２を中心として回動する。長尺紙である被印刷媒体２２の巻き取り角度が大きいときには、除電装置５０のステー５１も（下方に）大きく傾く。一方、長尺紙である被印刷媒体２２の巻き取り角度が小さいときには、除電装置５０のステー５１の傾きは小さくなる。いずれの場合にも除電部材５３は常時、被印刷媒体２２の下面に接触して除電する。【選択図】図４
2017067808.tif 000002
【特許請求の範囲】
【請求項１】
被印刷媒体に帯電された電荷を除電する除電手段と、
前記除電手段が配設された支持手段と、
を備え、
前記支持手段は、画像形成装置から排出される被印刷媒体を巻き取り軸の方向に搬送する排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、
ことを特徴とする除電装置。
【請求項２】
前記支持手段上で、かつ前記除電手段の近傍に配置され、前記巻き取り軸の方向に搬送される前記被印刷媒体に接触して従動する用紙追従用コロを更に備える、
ことを特徴とする請求項１に記載の除電装置。
【請求項３】
前記巻き取り角度に追従して回動する前記支持手段を所定の位置に戻すように復元力を付与する弾性部材を更に備えている、
ことを特徴とする請求項１又は２に記載の除電装置。
【請求項４】
前記弾性部材は、前記除電手段の前記被印刷媒体に対する接触圧が所定の範囲になるように、前記支持手段を所定の位置に戻すように復元力を付与する、
ことを特徴とする請求項３に記載の除電装置。
【請求項５】
画像形成装置から排出される被印刷媒体を巻き取る巻き取り軸の方向に搬送する排出ローラと、
被印刷媒体に帯電された電荷を除電する除電手段と、
前記除電手段が配設された支持手段と、
を備え、
前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、
ことを特徴とする反転ユニット。
【請求項６】
被印刷媒体を巻き取る巻き取り軸の方向に搬送する画像形成装置であって、
前記被印刷媒体を前記巻き取り軸の方向に搬送する排出ローラと、
前記被印刷媒体に帯電された電荷を除電する除電手段と、
前記除電手段が配設された支持手段と、
を備える反転ユニットを具備し、
前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、
ことを特徴とする画像形成装置。
【発明の詳細な説明】
【技術分野】
【０００１】
本発明は、除電装置、反転ユニット、及び画像形成装置に関する。
【背景技術】
【０００２】
従来、電子写真式の画像形成装置がある。この画像形成装置は、一般に現像装置の感光体ドラムを一様に帯電させて初期化し、この感光体ドラムに光書込みによって潜像を形成し、この潜像をトナー像化（現像）して、そのトナー像を直接又は間接に被印刷媒体に転写して定着器で定着させる。
【０００３】
ところで、画像形成装置内を搬送される被印刷媒体には電荷が溜まりやすく、搬送に用いられるローラの軸を通して除電するだけではその電荷を取り切れないため、画像形成装置の被印刷媒体の搬送経路上の数か所に除電ブラシなどの除電部材を配設している。
【０００４】
被印刷媒体に対する電荷は、搬送ベルトや搬送ローラから離れた時が最も多く帯電しているため、搬送ローラの直後に除電部材を配設する場合が多く、特に被印刷媒体が最終的に排出される排出（搬送）ローラの直後に高い頻度で除電部材が配設される（例えば特許文献１参照）。
【先行技術文献】
【特許文献】
【０００５】
【特許文献１】特開平０２−０２３３８４号公報
【発明の概要】
【発明が解決しようとする課題】
【０００６】
ところで、上記画像形成装置においては、被印刷媒体としてカットされていない長尺紙を用いることがある。印刷後の長尺紙を巻き取る場合、排出された長尺紙を、画像形成装置の用紙排出下流に設置されている反転ユニットによって排出方向を変えた後、排出された長尺紙の先端を巻取装置の巻き取り軸に装着した巻き芯（紙管）に一旦貼り付けた後、巻き取り動作を開始する。
【０００７】
しかしながら、排出された長尺紙を巻取装置で巻き取る場合、長尺紙の搬送される角度が、巻き取り軸に巻き取られた長尺紙の長さ（巻き取り径）に応じて大きく変化する。このような場合、固定的に配設した除電部材では、巻き取られる長尺紙の動き（搬送角度）に追従できず、除電を確実に行うことができないという問題があった。
【０００８】
そこで本発明は、搬送される角度が変化する被印刷媒体からの除電を安定的に行うことを目的とする。
【課題を解決するための手段】
【０００９】
この発明に係る除電装置は、被印刷媒体に帯電された電荷を除電する除電手段と、前記除電手段が配設された支持手段と、を備え、前記支持手段は、画像形成装置から排出される被印刷媒体を巻き取り軸の方向に搬送する排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする。
【００１０】
この発明に係る反転ユニットは、画像形成装置から排出される被印刷媒体を巻き取る巻き取り軸の方向に搬送する排出ローラと、被印刷媒体に帯電された電荷を除電する除電手段と、前記除電手段が配設された支持手段と、を備え、前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする。
【００１１】
この発明に係る画像形成装置は、被印刷媒体を巻き取る巻き取り軸の方向に搬送する画像形成装置であって、前記被印刷媒体を前記巻き取り軸の方向に搬送する排出ローラと、前記被印刷媒体に帯電された電荷を除電する除電手段と、前記除電手段が配設された支持手段と、を備える反転ユニットを具備し、前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする。
【発明の効果】
【００１２】
この発明によれば、搬送される角度が変化する被印刷媒体からの除電を安定的に行うことができる。
【図面の簡単な説明】
【００１３】
【図１】本発明の実施形態による、長尺紙に印刷するための画像形成装置１０の全体構成を示す概念図である。
【図２】本実施形態による画像形成装置１０の構成を示す斜視図である。
【図３】本実施形態による除電装置５０の構造を示す斜視図である。
【図４】本実施形態による除電装置５０の構造並びに動作を示す断面図である。
【図５】本実施形態による反転ユニット４０を用いた巻き取り動作（右巻）を説明するための概念図である。
【図６】本実施形態による反転ユニット４０を用いた巻き取り動作（左巻）を説明するための概念図である。
【発明を実施するための形態】
【００１４】
以下、本発明の実施の形態を、図面を参照して説明する。
【００１５】
図１は、本発明の実施形態による長尺紙に印刷するための画像形成装置１０の全体概念図である。図において、画像形成装置１０は、長尺紙供給部２０、プリンタ本体３０、及び長尺紙巻取部６０から構成されている。長尺紙供給部２０は、プリンタ本体３０の下部に設置されており、給紙ロール２１が設置されている。給紙ロール２１から引き出された長尺紙である被印刷媒体２２は、ここから上部に位置するプリンタ本体３０に供給される。
【００１６】
プリンタ本体３０は、電子写真式で二次転写方式のタンデム型のカラー画像形成装置であり、図示しないドラム・現像装置、転写ベルト装置、画像形成ユニット、及び定着装置などから構成されている。プリンタ本体３０で印刷され、搬出された被印刷媒体２２は、反転ユニット４０を経由して、長尺紙巻取部６０に設置されている巻き取り軸６１に巻き取られる。（実際には、この巻き取り軸６１に巻き芯（紙管）を装着してそれに巻き取り、巻き取りが終了したら、紙管とその紙管にロール状に巻かれた長尺紙を巻き取り軸６１から取り外すようにしているが、その巻き芯（紙管）を包括して以降も引き続き「巻き取り軸６１」と記載する。）反転ユニット４０は、排出された長尺紙を反転させて排出する。巻き取り軸６１は、排出された長尺紙を巻き取る。このとき、反転ユニット４０から排出される、被印刷媒体２２の搬送される角度が、巻き取り軸６１に巻き取られた長尺紙の長さ（巻き取り径）に応じて変化する。
【００１７】
図２（ａ）、（ｂ）は、本実施形態による画像形成装置１０の外観を示す斜視図である。図２（ａ）には、長尺紙からなる被印刷媒体２２が排出される前の状態が示されており、図２（ｂ）には、排出された長尺紙からなる被印刷媒体２２が反転ユニット４０を介して巻き取り軸６１に巻き取られる状態が示されている。
【００１８】
印刷動作に先だって、巻き取り軸６１に被印刷媒体２２がセットされる。長尺紙である被印刷媒体２２は、長尺紙供給部２０の給紙ロール２１から引き出され、プリンタ本体３０に供給され、図１に示す搬送経路を辿ってプリンタ本体３０の排出口から排出される。プリンタ本体３０から排出された被印刷媒体２２は、更に、反転ユニット４０を介して反転され、長尺紙巻取部６０側に排出される。
【００１９】
オペレータは、反転ユニット４０から排出される被印刷媒体２２の先端部を下流側の巻き取り軸６１に手作業で固定する。巻き取り軸６１への被印刷媒体２２のセットは、プリンタ本体３０から送り出される被印刷媒体２２の先端を通常テープ等で巻き取り軸６１に張り付けるが、動作中に貼り付ける場合、もしくは一旦用紙搬送を停止させ、被印刷媒体２２の先端を貼り付け後、巻き取りを開始する場合もある。
【００２０】
長尺紙巻取部６０は、巻き取り軸６１を回転させる駆動部を有しており、巻き取り軸６１に巻き取られる被印刷媒体２２は適度な張力をもって巻き取られる。したがって、プリンタ本体３０から排出される被印刷媒体２２を無理に引っ張り上げる設定とならないように、長尺紙巻取部６０の駆動部にクラッチ機構を設けることにより、適正な張力で常に巻き取るように設定されている。
【００２１】
図３は、本実施形態による除電装置５０の構造を示す斜視図である。図において、除電装置５０は、ステー５１、用紙追従用コロ５２、除電部材５３、後述するバネ５４とから構成されている。除電装置５０は、反転ユニット４０の最終段に配設されている排出ローラ４１の軸４２を中心として回動するように配設されている。ステー５１上には、排出する被印刷媒体２２に接触・従動する用紙追従用コロ５２が配設されている。また、ステー５１の前面（排出先端部）には、被印刷媒体２２の幅方向に延設された導電性の除電部材５３が配設されている。
【００２２】
排出された長尺紙である被印刷媒体２２を巻き取り軸６１で巻き取る場合、長尺紙巻取部６０における巻き取りが進むにつれて変化する被印刷媒体２２の巻き取り角度（被印刷媒体２２の反転ユニット４０からの排出箇所から長尺紙巻取部６０の巻き取り軸６１に向かう角度）が大きく変化する。このため、固定的に配設した除電部材では、巻き取られる長尺紙の動き（搬送角度）に追従できず、除電を確実に行うことができない。
【００２３】
そこで、本実施形態では、常に除電部材５３が反転ユニット４０から排出される被印刷媒体２２に当接するように、反転ユニット４０の最終段に配設されている排出ローラ４１の軸４２を中心として回動し、被印刷媒体２２の巻き取り角度に追従するように除電装置５０を配設する。
【００２４】
このように、反転ユニット４０の出口に、常時、除電部材５３が反転ユニット４０から排出される被印刷媒体２２に当接するように、被印刷媒体２２の巻き取り角度に追従して排出ローラ４１の軸４２を中心として回動する除電装置５０を配設することにより、搬送される角度が変化する被印刷媒体２２からの除電を安定的に行うことが可能となる。
【００２５】
図４（ａ）、（ｂ）は、本実施形態による除電装置５０の構造並びに動作を示す断面図である。除電装置５０のステー５１は、図４（ａ）、（ｂ）に示すように、排出ローラ４１の軸４２を中心として回動可能に構成されている。ステー５１は、被印刷媒体２２の搬送方向とは逆方向にバネ５４によって引っ張られている。バネ５４による引っ張り力は、用紙追従用コロ５２（又は除電部材５３）の被印刷媒体２２に対する接触圧が所定の範囲になるように調整されている。すなわち、ステー５１が被印刷媒体２２の巻き取り角度に追従しつつ、ステー５１を所定の角度（巻き取り角度が最小となる位置よりやや上）に戻す程度の復元力を付与するように調整されている。
【００２６】
この結果、除電装置５０は、被印刷媒体２２の巻き取り角度に追従して排出ローラ４１の軸４２を中心として回動することになる。また、排出ローラ４１から排出される被印刷媒体２２に接触するように、ステー５１の上部で、かつ除電部材５３の近傍に用紙追従用コロ５２を配設している。これによって、除電部材５３と被印刷媒体２２との間の距離と角度が一定となる。
【００２７】
図４（ａ）に示すように、長尺紙である被印刷媒体２２の巻き取り角度が大きいときには、除電装置５０のステー５１も（下方に）大きく傾く。一方、図４（ｂ）に示すように、長尺紙である被印刷媒体２２の巻き取り角度が小さいときには、除電装置５０のステー５１の傾きは小さくなる。いずれの場合にも除電部材５３は、常時、被印刷媒体２２の下面に接触することになる。
【００２８】
このように、被印刷媒体２２の巻き取り角度に追従して排出ローラ４１の軸４２を中心として回動するように除電装置５０を配設するようにしたので、除電部材５３が常時、被印刷媒体２２の下面に接触し、確実に除電することが可能となる。また、用紙追従用コロ５２を除電部材５３の近傍に配設することで、除電部材５３と被印刷媒体２２との間の距離と角度が常時一定とすることができる。この結果、除電部材５３は、被印刷媒体２２の巻き取り角度が変わっても、除電効果が一定となり、安定した除電が可能となる。
【００２９】
図５（ａ）、（ｂ）は、本実施形態による反転ユニット４０を用いた巻き取り動作（右巻）を説明するための概念図である。被印刷媒体２２を巻き取り軸６１に右巻（図面に向かって時計回り）に巻き取る場合、図５（ａ）に示すように、巻き取りの始めの方では、長尺紙である被印刷媒体２２の巻き取り角度は大きく、図５（ｂ）に示すように、巻き取りの終わりの方では、巻取り用紙の直径が、最大で直径３２０ｍｍほどになる場合があり、長尺紙である被印刷媒体２２の巻き取り角度は小さくなる。
【００３０】
本実施形態による除電装置５０は、被印刷媒体２２の巻き取り角度に追従して排出ローラ４１の軸４２を中心として回動するので、常時、除電部材５３が反転ユニット４０から排出される被印刷媒体２２の下面に接触し、確実に除電することができる。
【００３１】
図６（ａ）、（ｂ）は、本実施形態による反転ユニット４０を用いた巻き取り動作（左巻）を説明するための概念図である。被印刷媒体２２を巻き取り軸６１に左巻（図面に向かって半時計回り）に巻き取る場合、図６（ａ）に示すように、巻き取りの始めの方では、長尺紙である被印刷媒体２２の巻き取り角度は大きく、図６（ｂ）に示すように、巻き取りの終わりの方では、長尺紙である被印刷媒体２２の巻き取り角度は更に大きくなる。
【００３２】
巻き取り動作の右巻の場合と左巻の場合の巻き取りの終わりの方同士を比較すると、図５（ｂ）と図６（ｂ）に示すものを比較して判るように、被印刷媒体２２の巻き取り角度の差は非常に大きくなる。このように巻き取り角度の差が大きい場合でも、被印刷媒体２２の巻き取り角度に追従して排出ローラ４１の軸４２を中心として除電装置５０が回動するので、常時、除電部材５３が反転ユニット４０から排出される被印刷媒体２２の下面に接触し、確実に除電することができる。
【００３３】
上述した実施形態によれば、被印刷媒体２２の巻き取り角度に追従して排出ローラ４１の軸４２を中心として回動するように除電装置５０を配設するようにしたので、除電部材５３が常時、被印刷媒体２２の下面に接触し、確実に除電することができる。
【００３４】
上述した実施形態によれば、被印刷媒体２２の下面に常時、接触する位置で、かつ除電部材５３の近傍に用紙追従用コロ５２を配設するようにしたので、除電部材５３と被印刷媒体２２との間の距離と角度が常時一定とすることができる。この結果、除電部材５３は、被印刷媒体２２の巻き取り角度が変わっても、除電効果が一定となり、安定した除電ができる。
【００３５】
上述した実施形態によれば、用紙追従用コロ５２（又は除電部材５３）の被印刷媒体２２に対する接触圧が所定の範囲になるように、ステー５１を被印刷媒体２２の搬送方向とは逆方向にバネ５４によって引っ張るようにしたので、被印刷媒体２２の巻き取り角度が変わっても、除電部材５３が常時、一定の接触圧で被印刷媒体２２に接触し、除電効果が一定となり、安定した除電ができる。
【００３６】
なお、上述実施形態においては、被印刷媒体２２における画像形成面が表側（上側）であるため、その画像形成面を汚さないために用紙追従用コロ５２と除電部材５３を裏側（下側）から当接させているが、印刷画像が定着されて固着した後の最終排出箇所での除電であるため、被印刷媒体２２の表側（上側）に当接してもよい。表側であれば、除電装置５０の被印刷媒体２２への付勢力は、ステー５１周辺の重量による下向きの力を利用することも可能となる。
【００３７】
また、除電方式（接触除電方式／非接触除電方式など）、被印刷媒体２２との距離／角度、及び、接触する場合の接触形態／形状などに関しては、除電部材５３の材質や、被印刷媒体２２の帯電量などの違いに応じて、用紙追従用コロ５２と除電部材５３との位置関係、大きさ、及び／又は長さを変更することで適宜調整可能である。更に、除電部材５３の形状や特性などによっては、用紙追従用コロ５２が無くても、求める除電性能が得られる場合があり、その場合は用紙追従用コロ５２は排除して無くしてもよい。
【００３８】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００３９】
（付記１）
付記１に記載の発明は、被印刷媒体に帯電された電荷を除電する除電手段と、前記除電手段が配設された支持手段と、を備え、前記支持手段は、画像形成装置から排出される被印刷媒体を巻き取り軸の方向に搬送する排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする除電装置である。
【００４０】
（付記２）
付記２に記載の発明は、前記支持手段上で、かつ前記除電手段の近傍に配置され、前記巻き取り軸の方向に搬送される前記被印刷媒体に接触して従動する用紙追従用コロを更に備える、ことを特徴とする付記１に記載の除電装置である。
【００４１】
（付記３）
付記３に記載の発明は、前記巻き取り角度に追従して回動する前記支持手段を所定の位置に戻すように復元力を付与する弾性部材を更に備えている、ことを特徴とする付記１又は２に記載の除電装置である。
【００４２】
（付記４）
付記４に記載の発明は、前記弾性部材は、前記除電手段の前記被印刷媒体に対する接触圧が所定の範囲になるように、前記支持手段を所定の位置に戻すように復元力を付与する、ことを特徴とする付記３に記載の除電装置である。
【００４３】
（付記５）
付記５に記載の発明は、画像形成装置から排出される被印刷媒体を巻き取る巻き取り軸の方向に搬送する排出ローラと、被印刷媒体に帯電された電荷を除電する除電手段と、前記除電手段が配設された支持手段と、を備え、前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする反転ユニットである。
【００４４】
（付記６）
付記６に記載の発明は、被印刷媒体を巻き取る巻き取り軸の方向に搬送する画像形成装置であって、前記被印刷媒体を前記巻き取り軸の方向に搬送する排出ローラと、前記被印刷媒体に帯電された電荷を除電する除電手段と、前記除電手段が配設された支持手段と、を備える反転ユニットを具備し、前記支持手段は、前記排出ローラの近傍に配置され、前記巻き取り軸の方向に搬送される前記被印刷媒体に前記除電手段を接触させるように、前記被印刷媒体が前記巻き取り軸で巻き取られる際の巻き取り角度に追従して前記排出ローラの回転軸を中心として回動するように構成されている、ことを特徴とする画像形成装置である。
【符号の説明】
【００４５】
１０  画像形成装置
２０  長尺紙供給部
２１  給紙ロール
２２  被印刷媒体
３０  プリンタ本体
４０  反転ユニット
４１  排出ローラ
４２  軸
５０  除電装置
５１  ステー
５２  用紙追従用コロ
５３  除電部材
５４  バネ
６０  長尺紙巻取部
６１  巻き取り軸
【図１】
2017067808.tif 000003
【図２】
2017067808.tif 000004
【図３】
2017067808.tif 000005
【図４】
2017067808.tif 000006
【図５】
2017067808.tif 000007
【図６】
2017067808.tif 000008
【手続補正書】
【提出日】平成28年6月17日(2016.6.17)
【手続補正２】
【補正対象書類名】明細書
【補正対象項目名】０００１
【補正方法】変更
【補正の内容】
【０００１】
本発明は、除電装置及び画像形成システムに関する。
【手続補正３】
【補正対象書類名】明細書
【補正対象項目名】０００９
【補正方法】変更
【補正の内容】
【０００９】
この発明に係る除電装置は、被印刷媒体の搬送経路上において前記被印刷媒体が所定のローラから離接する位置よりも下流側で除電のために前記被印刷媒体に当接される当接部材と、前記ローラの回転軸を中心に回動するように前記当接部材を支持する支持部材と、を備え、前記支持部材は、前記離接する位置を基点とした巻き取り角度が前記被印刷媒体の巻き取り量に応じて変化することに伴う前記当接部材を介した前記被印刷媒体からの押圧力の変化に追従して回動することを特徴とする。
【手続補正４】
【補正対象書類名】明細書
【補正対象項目名】００１０
【補正方法】変更
【補正の内容】
【００１０】
この発明に係る画像形成システムは、被印刷媒体の搬送経路上において前記被印刷媒体が所定のローラから離接する位置よりも下流側で除電のために前記被印刷媒体に当接される当接部材と、前記ローラの回転軸を中心に回動するように前記当接部材を支持する支持部材と、前記被印刷媒体を巻き取るための巻取部と、を備え、前記支持部材は、前記離接する位置を基点とした巻き取り角度が前記巻取部による前記被印刷媒体の巻き取り量に応じて変化することに伴う前記当接部材を介した前記被印刷媒体からの押圧力の変化に追従して回動することを特徴とする。
【手続補正５】
【補正対象書類名】明細書
【補正対象項目名】００１１
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
被印刷媒体の搬送経路上において前記被印刷媒体が所定のローラから離接する位置よりも下流側で除電のために前記被印刷媒体に当接される当接部材と、
前記ローラの回転軸を中心に回動するように前記当接部材を支持する支持部材と、
を備え、
前記支持部材は、前記離接する位置を基点とした巻き取り角度が前記被印刷媒体の巻き取り量に応じて変化することに伴う前記当接部材を介した前記被印刷媒体からの押圧力の変化に追従して回動することを特徴とする除電装置。
【請求項２】
前記被印刷媒体が搬送される際に前記ローラが従動して回転する向きとは逆の向きに作用する付勢を前記支持部材に与える付勢部材を備えることを特徴とする請求項１に記載の除電装置。
【請求項３】
前記当接部材は、前記被印刷媒体の表裏面のうち前記ローラが前記被印刷媒体に接触する側の面に当接するように配置されていることを特徴とする請求項１又は２に記載の除電装置。
【請求項４】
前記当接部材は、導電性の除電部材を有し、前記除電部材が前記被印刷媒体に当接されることを特徴とする請求項１から３の何れかに記載の除電装置。
【請求項５】
前記当接部材は、前記ローラと前記除電部材との間の領域で前記被印刷媒体に当接するように設けられたコロを有していることを特徴とする請求項４に記載の除電装置。
【請求項６】
被印刷媒体の搬送経路上において前記被印刷媒体が所定のローラから離接する位置よりも下流側で除電のために前記被印刷媒体に当接される当接部材と、
前記ローラの回転軸を中心に回動するように前記当接部材を支持する支持部材と、
前記被印刷媒体を巻き取るための巻取部と、
を備え、
前記支持部材は、前記離接する位置を基点とした巻き取り角度が前記巻取部による前記被印刷媒体の巻き取り量に応じて変化することに伴う前記当接部材を介した前記被印刷媒体からの押圧力の変化に追従して回動することを特徴とする画像形成システム。
【請求項７】
前記巻取部は前記ローラよりも下方側に設けられ、
鉛直方向に搬送された前記被印刷媒体が前記ローラを通過後に下方に向かって搬送されることを特徴とする請求項６に記載の画像形成システム。